(57)【要約】【課題】土壌中に差し込まれたネームタグなどの表示用具を抜け難くし、容易にネームタグが抜け落ちてしまうことを防止する。【解決手段】先端部分１１を土壌中５に差し込まれて植設されるネームタグであって、先端部分１１を含み、所定の長さを有するタグ本体１０と、タグ本体１０のうち土壌５に差し込まれる部位１２に、タグ本体１０の表裏にわたって貫通する貫通孔１４とを有する。【選択図】  図１
2015052636.tif 000002
【特許請求の範囲】
【請求項１】
先端部分を土壌中に差し込まれて植設される表示用具であって、
前記先端部分を含み、所定の長さを有するタグ本体と、
前記タグ本体のうち前記土壌に差し込まれる部位に、前記タグ本体の表裏にわたって貫通する貫通孔と
を有することを特徴とする表示用具。
【請求項２】
前記タグ本体の側部のうち、前記部位に対応する位置に凹凸が形成されていることを特徴とする請求項１に記載の表示用具。
【請求項３】
前記タグ本体は、平板状又は杭形状をなしていることを特徴とする請求項１又は２に記載の表示用具。
【請求項４】
先端を土壌中に差し込んで植設する表示用具の植設方法であって、
前記ネームタグの前記土壌に差し込まれる部位に、当該タグ本体の表裏にわたって貫通孔を形成し、
当該ネームタグを植設する際に、前記貫通孔が前記土壌中に埋設されるようにする
ことを特徴とする表示用具の植設方法。
【請求項５】
前記貫通孔の最大径は、前記土壌の平均粒径よりも大きいことを特徴とする請求項４に記載の表示用具の植設方法。
【発明の詳細な説明】
【技術分野】
【０００１】
本発明は、例えば園芸や農業の分野における植木や草花、家庭菜園用の栽培植物に関する情報を表示する表示用具、及び表示用具を用いた植設方法に関するものである。
【背景技術】
【０００２】
従来、園芸や農業の分野における植木や草花、家庭菜園用の栽培植物に関する情報を表示する表示用具としては、板状に形成されたタグ本体の下部を植木鉢等の園芸用容器内の土壌に挿し込み、土壌の上に顔を出しているタグ本体の上部に栽培植物に関する情報を表示させるネームタグが知られている（例えば、特許文献１）。
【０００３】
この特許文献１に開示されたネームタグでは、ラベル上部とラベル下部との境に切れ込み部を設け、その切れ込み部の内側の端からラベル下部の先端へ向けて折り畳み用加工部を設ける。切れ込み部と折り畳み用加工部とに囲まれた折り畳み部を、裏面の方へ折り畳み、重ねることによって、ラベル下部の厚さを持たせ、それによって、ラベル下部の差し込み部分の強度を上げて、差し込みやすくすることを可能としている。
【先行技術文献】
【特許文献】
【０００４】
【特許文献１】特開２００３−１３１５７３号公報
【発明の概要】
【発明が解決しようとする課題】
【０００５】
しかしながら、特許文献１に開示されたようなネームタグは、表面が平坦な板状部材を単に園芸用容器内の土壌内に差し込む構造となっているため、ネームタグが抜け易くなっている。したがって、ネームタグが栽培者の気がつかないうちに抜けて紛失してしまうという問題があった。
【０００６】
そこで、本発明は、上記のような問題を解決するものであり、土壌内に差し込まれた表示用具を抜け難くし、容易に表示用具が抜け落ちてしまうことを防止することができる表示用具を提供することを目的とする。
【課題を解決するための手段】
【０００７】
上記課題を解決するために、本発明は、先端部分を土壌中に差し込まれて植設される表示用具であって、先端部分を含み、所定の長さを有するタグ本体と、タグ本体のうち土壌に差し込まれる部位に、タグ本体の表裏にわたって貫通する貫通孔とを有することを特徴としている。
【０００８】
また、他の発明は、表示用具を土壌中に差し込んで植設する表示用具の植設方法であって、
（１）表示用具の土壌に差し込まれる部位に、当該タグ本体の表裏にわたって貫通孔を形成し、
（２）当該表示用具を植設する際に、貫通孔が土壌中に埋設されるようにする
ことを特徴としている。
【０００９】
これらのような本発明によれば、タグ本体における土壌に差し込まれる部位に、表裏にわたって貫通する貫通孔とを有しているので、タグ本体を土壌に差し込むと、その貫通孔の空間内に土壌が入り込むこととなる。この際、園芸用の土壌は水分を含み粘着性を有しているので、タグ本体を土壌に固定し易くなっている。すなわち、貫通孔内に表裏両側から土壌が流れ込み、その土壌が貫通孔を塞いだ状態で、乾燥や物理的加圧により周囲の土壌とともに締め固められ、表示用具が地盤内に固着される。
【００１０】
その結果、例えば、園芸植物の搬送中や手入れ中において、タグ本体の土壌から上部に突出しているタグ上部にユーザーが触れたとしても、貫通孔の内部に入り込んだ土壌等によって、タグ本体が上方に引っ張られる力を押さえ込むことができ、容易に表示用具が抜け落ちてしまうことを防止することができる。
【００１１】
上記発明において、タグ本体の側部のうち、差し込まれる部位に対応する位置に凹凸が形成されていることを特徴とすることが好ましい。この場合には、この凹凸によって、タグ本体の周りの土壌と接する面を増大させるため、摩擦力を増加させることができ、より表示用具を抜け難くすることができる。
【００１２】
上記発明において、タグ本体は平板状又は杭形状をなしていることが好ましい。この場合には、タグ本体は板状又は杭形状をなしているので、土壌に対して差し込み易くすることができる。なお、「杭形状」とは、土壌に打ち込むことができる形状であればよく、例えば、円柱、円錐、角柱等の多角柱、多角推など種々の形状を用いることができる。
【００１３】
上記発明において、貫通孔の最大径は、土壌の平均粒径よりも大きいことが好ましい。ここで、本発明において「最大径」とは、貫通孔の内方における最大長の径をいい、例えば、貫通孔が円形や楕円形の場合は、最大長となる直径を指し、四角形、その他の多角形では、最大長となる対角線を指す。この場合、貫通孔の最大径は、土壌の平均粒径よりも大きいため、その貫通孔に多数の土壌粒を入り込ませ易くなっている。これにより、タグ本体が上方に引っ張られる力を押さえ込み、表示用具を抜け難くして、容易に表示用具が抜け落ちてしまうことを防止することができる。なお、貫通孔の最大径を大きくすることによって、より周囲の土壌との密着性を増すことができ、固着度を高めることができる。
【発明の効果】
【００１４】
以上述べたように、この発明によれば、表示用具を抜け難くし、容易に表示用具が抜け落ちて、紛失してしまうことを防止することができる。具体的には、表示用具の先端を土壌内に差し込んだ後、自然に雨が降ったり、植物に散水することによって、貫通孔内に表裏両側から土壌が流れ込み、その土壌が貫通孔を塞いだ状態で、乾燥や物理的加圧により周囲の土壌とともに締め固められ、月日が経つ程、表示用具が地盤内に固着されて抜け難くなる。
【図面の簡単な説明】
【００１５】
【図１】（ａ）〜（ｃ）は、第１実施形態に係るネームタグの使用状態を例示する斜視図であり、参考図として全体構成を示す。
【図２】図１（ａ）に係るネームタグを示し、（ａ）は正面図、（ｂ）は右側面図、（ｃ）は平面図、（ｄ）は底面図である。
【図３】図１（ｂ）に係るネームタグを示し、（ａ）は正面図、（ｂ）は右側面図、（ｃ）は平面図、（ｄ）は底面図である。
【図４】図１（ｃ）に係るネームタグを示し、（ａ）は正面図、（ｂ）は右側面図、（ｃ）は平面図、（ｄ）は底面図である。
【図５】（ａ）及び（ｂ）は、第１実施形態に係るネームタグの植設方法を示す説明図である。
【図６】第１実施形態に係るネームタグの貫通孔に土壌の粒が入り込む状態を示す説明図である。
【図７】（ａ）〜（ｃ）は、第２実施形態に係るネームタグの使用状態を例示する斜視図であり、参考図として全体構成を示す。
【図８】図７（ａ）に係るネームタグを示し、（ａ）は正面図、（ｂ）は右側面図、（ｃ）は平面図、（ｄ）は底面図、（ｅ）は背面図である。
【図９】図７（ｂ）に係るネームタグを示し、（ａ）は正面図、（ｂ）は右側面図、（ｃ）は平面図、（ｄ）は底面図、（ｅ）は背面図である。
【図１０】図７（ｃ）に係るネームタグを示し、（ａ）は正面図、（ｂ）は右側面図、（ｃ）は平面図、（ｄ）は底面図、（ｅ）は背面図である。
【図１１】（ａ）〜（ｃ）は、第３実施形態に係るネームタグの使用状態を例示する斜視図であり、参考図として全体構成を示す。
【図１２】図１１（ａ）に係るネームタグを示し、（ａ）は正面図、（ｂ）は右側面図、（ｃ）は平面図、（ｄ）は底面図である。
【図１３】図１１（ｂ）に係るネームタグを示し、（ａ）は正面図、（ｂ）は右側面図、（ｃ）は平面図、（ｄ）は底面図である。
【図１４】図１１（ｃ）に係るネームタグを示し、（ａ）は正面図、（ｂ）は右側面図、（ｃ）は平面図、（ｄ）は底面図である。
【図１５】変形例に係るネームタグを示し、（ａ）は正面図、（ｂ）は右側面図、（ｃ）は平面図、（ｄ）は底面図、（ｅ）は背面図である。
【図１６】変形例に係るネームタグを示し、（ａ）は正面図、（ｂ）は右側面図、（ｃ）は平面図、（ｄ）は底面図、（ｅ）は背面図である。
【図１７】変形例に係るネームタグを示し、（ａ）は正面図、（ｂ）は右側面図、（ｃ）は平面図、（ｄ）は底面図、（ｅ）は背面図である。
【図１８】変形例に係るネームタグの使用状態を例示する斜視図であり、参考図として全体構成を示す。
【図１９】変形例に係るネームタグを示し、（ａ）は正面図、（ｂ）は右側面図、（ｃ）は平面図、（ｄ）は底面図である。
【図２０】変形例に係るネームタグを示し、（ａ）は背面図、（ｂ）は左側面図である。
【発明を実施するための形態】
【００１６】
以下に添付図面を参照して、本発明に係る表示用具、並びにこの表示用具を用いた植設方法の実施形態を詳細に説明する。下記の各実施形態にかかる表示用具は、物品としては、例えば、園芸や農業の分野において植木や草花、家庭菜園用の栽培植物に直接、又はその近傍に設置され、植物の名称、品種等の情報又は設置場所の案内若しくは標識を表示するために使用されるネームタグである。
【００１７】
本物品の寸法は、正面図から見て、例えば、長さ１５ｃｍ、幅２ｃｍ、厚さ１ｍｍ程度である。なお、この寸法は一例であり、土壌の種類やネームタグのサイズ・形状等に応じて適宜変更することができ、一般的には厚さを増すことにより固着度が高められる。なお、各図面においては、部分意匠として意匠登録を受けようとする部分を実線で、それ以外の部分を破線で表している。
【００１８】
［第１実施形態］
先ず、本発明に係るネームタグの第１実施形態について説明する。第１実施形態では、ネームタグのタグ本体を板状としたことを要旨とする。図１（ａ）〜（ｃ）は、第１実施形態に係る各ネームタグの全体構成を示す斜視図であり、図２（ａ）〜（ｄ）は、図１（ａ）に示すネームタグ１ａを示し、図３（ａ）〜（ｄ）は、図１（ｂ）に示すネームタグ１ｂを示し、図４（ａ）〜（ｄ）は、図１（ｃ）に示すネームタグ１ｃを示しており、各図の（ａ）は正面図、（ｂ）は右側面図、（ｃ）は平面図、（ｄ）は底面図である。なお、各ネームタグ１ａ〜１ｃに係る左側面図は右側面図と同一につき省略するものとする。また、各ネームタグ１ａ〜１ｃに係る背面図は正面図と同一につき省略するものとする。
【００１９】
本実施形態に係るネームタグ１ａ〜１ｃは、土壌中５に差し込まれて植設されるネームタグであって、図１に示すように、板状に形成されたタグ本体１０から形成される。このタグ本体１０は、紙、木、あるいはプラスチック等の樹脂、陶器、腐食し難い金属や、防水加工された金属部材などからなり、タグ本体１０のうち土壌５に差し込まれる差込部位１２と、土壌５から上部に突き出す突出部位１３とが一体形成され、所定の長さを有している。差込部位１２の下部は、上部に比べて左右方向の幅が狭く且つ下方に向かって尖った形状に形成された先端部分１１を含んでいる。
【００２０】
そして、本実施形態においてタグ本体１０は、図１（ａ）及び図２に示すように、差込部位１２に、タグ本体１０の表裏にわたって貫通する複数の貫通孔１４がタグ本体１０の長手方向に配列されている。この貫通孔１４の最大径は、土壌の平均粒６の径よりも大きく形成されている。なお、本実施形態では、複数の貫通孔１４に替えて、図１（ｃ）及び図４に示すように、タグ本体１０の長手方向に延びるスリット状の貫通孔１８を形成させてたタグ１ｃとしてもよい。
【００２１】
また、タグ本体１０には、図１（ｂ），図１（ｃ）、図３及び図４に示すように、タグ本体１０の側部のうち、差込部位１２に対応する位置に凹部１５ａ及び凸部１５ｂからなる凹凸１５を形成させてもよい。この凹凸１５は、側面の一部を半円状に刳りぬいて形成された凹部１５ａが所定の間隔を空けて形成させることで、凹部１５ａと凹部１５ａとの間に略長方形状の凸部１５ｂを形成させている。本実施形態において凹部１５ａは、貫通孔１４の半円と同じ大きさに形成されている。
【００２２】
本実施形態において、タグ１ｂには、図１（ｂ）に示すように、２つの凹部１５ａが、各貫通孔１４の間に位置するようにそれぞれ設けられ、その凹部１５ａ，１５ａ間に１つの凸部１５ｂが形成されている。一方、タグ１ｃには、図１（ｃ）に示すように、３つの凹部１５ａが形成されるようになっており、２つの凸部１５ｂが形成されるようになっている。
【００２３】
（ネームタグの植設方法）
次いで、上述したネームタグ１ａの植設方法について説明する。図５（ａ）及び（ｂ）は、第１実施形態に係るネームタグの植設方法を示す説明図であり、図６は、第１実施形態に係るネームタグの貫通孔に土壌の粒が入り込む状態を示す説明図である。なお、ここでは、ネームタグ１ａを用いた植設方法について説明するが、上述したネームタグ１ｂ、１ｃ及び後述する各種のネームタグについても同様である。
【００２４】
本実施形態に係るネームタグ１ａを土壌５に植設する場合には、図５（ａ）に示すように、差込部位１２に、タグ本体１０の表裏にわたって貫通孔１４を形成し、そして、この貫通孔１４が土壌中に埋設されるように、先端部分１１から土壌５内に差し込む。
【００２５】
ネームタグ１ａを土壌５に差し込むと、図５（ｂ）に示すように、土壌５内に差込部位１２が埋設される。このとき、貫通孔１４の最大径は、土壌５の平均粒径よりも大きく形成されているので、図６に示すように、土壌の粒６が当該貫通孔１４に入り込むようになっている。なお、図１ｂ及び１ｃに示すような凹凸１５が形成されている場合には、貫通孔１４の半円の大きさである凹部１５ａにも土壌５の粒６が入り込むようになる。
【００２６】
（作用・効果）
このような第１実施形態によれば、タグ本体１０の差込部位１２に、表裏にわたって貫通する貫通孔１４とを有しているので、タグ本体１０を土壌５に差し込むと、図６に示すように、その貫通孔１４の空間内に土壌の粒６が入り込むこととなる。この際、土壌は水分を含み、粘着性を有しているので、タグ本体１０の差込部位１２を土壌５内に差し込んだ後、自然に雨が降ったり、植物に散水することによって、貫通孔１４内に表裏両側から土壌が流れ込み、その土壌が貫通孔１４を塞いだ状態で、乾燥や物理的加圧により周囲の土壌とともに締め固められ、ネームタグが地盤内に固着される。その結果、例えば、園芸植物の搬送中や手入れ中において、タグ本体１０の土壌５から上部に突出しているタグ突出部位１３にユーザーが触れたとしても、貫通孔１４の内部に入り込んだ土壌５等によって、タグ本体１０が上方に引っ張られる力を押さえ込むことができ、これにより、容易にネームタグ１ａ〜１ｃが抜け落ちてしまうことを防止することができる。
【００２７】
また、ネームタグ１ｂ及び１ｃには、差込部位１２に対応する位置に凹凸１５が形成されているので、この凹凸１５によって、タグ本体の周りの土壌と接する面を増大させるため、摩擦力を増加させることができ、よりネームタグを土壌５から抜け難くすることができる。
【００２８】
［第２実施形態］
次いで、本発明に係るネームタグの第２実施形態について説明する。第２実施形態では、ネームタグのタグ本体にプレートを装着させた場合を要旨とする。
【００２９】
図７（ａ）〜（ｃ）は、第２実施形態に係る各ネームタグの全体構成を示す斜視図であり、図８（ａ）〜（ｅ）は、図７（ａ）に示すネームタグ２ａを示し、図９（ａ）〜（ｅ）は、図７（ｂ）に示すネームタグ２ｂを示し、図１０（ａ）〜（ｅ）は、図７（ｃ）に示すネームタグ２ｃを示しており、各図の（ａ）は正面図、（ｂ）は右側面図、（ｃ）は平面図、（ｄ）は底面図、（ｅ）は背面図である。なお、ここでは、各ネームタグ２ａ〜２ｃに係る左側面図は右側面図と対称につき省略するものとする。また、本実施形態において、上述した第１実施形態と同一の構成要素には同一の符号を付し、その機能等は特に言及しない限り同一であり、その説明は省略する。
【００３０】
本実施形態に係るネームタグ２ａ〜２ｃは、図７〜図１０に示すように、上述したネームタグ１ａ〜１ｃの突出部位１３に板状のプレート１７が装着されている。本実施形態において、プレート１７としては、紙、木、布、あるいはプラスチック等の樹脂、陶器、腐食し難い金属や、防水加工された金属部材等を用いることができる。合成樹脂としては、ポリプロピレンなどの他、ポリオレフィン系樹脂、ポリアミド系樹脂、ポリエステル系樹脂、又はポリスチレン系樹脂などの合成樹脂のシート、ポリエチレンなどの合成樹脂がラミネートされたラミネート紙、アルミなどの金属箔に合成樹脂をラミネートしたシートなどを用いることができる。
【００３１】
このプレート１７は、本実施形態では、板状に形成されており、その表面には、栽培植物に関する情報を印刷又は記入可能となっている。ここで、栽培植物に関する情報とは、栽培植物の名称等や宣伝広告が挙げられる。栽培植物の名称等は、栽培容器に植え付けられた栽培植物の種類に関する情報であり、栽培植物の苗を生育する生産者、苗を販売する販売者、苗を購入する購入者が参考に用いるものである。このような栽培植物の名称等には、さらに、栽培植物の名称、種類、品種名、生産者、生産番号、生産日、販売者、販売番号、価格などの情報が挙げられる。
【００３２】
また、プレート１７の表面は、所定の面積を有しているため、例えば、野菜を健全に生育させるために野菜の種類毎に肥料、水やり、日当たりなどの生育方法や病害虫を予防するために留意すべき情報等についても記載可能である。
【００３３】
このプレート１７をタグ本体１０に装着する方法としては、例えば、接着剤によって貼り合わせてもよく、例えば、ネジ、くぎ等で固定してもよい。さらに、プレート１７は、突出部位１３に対して、着脱可能な構成としてもよい。
【００３４】
ここで、プレート１７を、接着剤によって突出部位１３に固定する場合、使用される接着剤としては、例えば、一度粘着しても再び人の手で剥がすことができる程度の粘着力を発揮できるような疑似接着剤を用いてもよく、また、人の手で剥がせない程度に強固に接着できる接着剤を用いてもよい。疑似接着剤としては、プレート１７やタグ本体１０の材質に合わせて好ましい成分や配合が変化させることができ、例えば、アクリル系接着剤、ゴム系接着剤、シリコン系接着剤、ポリビニルエーテル系接着剤、ポリ酢酸ビニル系接着剤などを適宜用いることができる。
【００３５】
（作用・効果）
本実施形態によれば、上述した第１実施形態と同様な効果を奏する。さらに、本実施形態では、土壌５から上部に突出する突出部位１３に表面積の大きいプレート１７を装着可能であるため、そのプレート１７に、栽培植物に関する情報を数多く表示させることがでるので、購買者にとって有意義な情報を提供することができる。
【００３６】
［第３実施形態］
次いで、本発明に係るネームタグの第３実施形態について説明する。第３実施形態では、ネームタグのタグ本体を杭形状としたことを要旨とする。
【００３７】
図１１（ａ）〜（ｃ）は、第３実施形態に係る各ネームタグの全体構成を示す斜視図であり、図１２（ａ）〜（ｄ）は、図１１（ａ）に示すネームタグ３ａを示し、図１３（ａ）〜（ｄ）は、図１１（ｂ）に示すネームタグ３ｂを示し、図１４（ａ）〜（ｄ）は、図１１（ｃ）に示すネームタグ３ｃを示しており、各図の（ａ）は正面図、（ｂ）は右側面図、（ｃ）は平面図、（ｄ）は底面図である。なお、ここでは、各ネームタグ３ａ〜３ｃに係る左側面図は右側面図と同一につき省略するものとする。また、各ネームタグ３ａ〜３ｃに係る背面図は正面図と同一につき省略するものとする。また、本実施形態において、上述した第１実施形態及び第２実施形態と同一の構成要素には同一の符号を付し、その機能等は特に言及しない限り同一であり、その説明は省略する。
【００３８】
本実施形態に係るネームタグ３ａ〜３ｃは、例えば、木材、プラスチック等の合成樹脂、陶器、防水加工された金属部材等からなり、杭形状となっている。すなわち、ネームタグ３ａ〜３ｃは、タグ本体１０ａのうち土壌５に差し込まれる差込部位１２ａと、土壌５から上部に突き出す突出部位１３ａとが一体形成され、所定の長さを有している。そして、差込部位１２ａの下部は、上部に比べて外周が短く、且つ下方に向かって尖った形状に形成されている。
【００３９】
このような杭形状としては、上述した円柱状に限定するものでなく、土壌５に打ち込むことができる形状であればよく、例えば、円錐、多角柱、多角推など種々の形状を用いることができる。
【００４０】
そして、本実施形態においても、タグ本体１０ａには、図１１（ａ）及び（ｂ）に示すように、タグ本体１０ａのうち土壌５に差し込まれる差込部位１２ａに、タグ本体１０ａの表裏にわたって貫通する複数の貫通孔１４を有している。さらに、タグ本体１０ａの差込部位１２ａには、図１１（ｂ）及び図１３に示すように凹部１５ａと凸部１５ｂからなる凹凸１５が形成されている。なお、本実施形態では、複数の貫通孔１４に替えて、図１１（ｃ）及び図１４に示すように、スリット状の貫通孔１８を形成させてもよい。
【００４１】
（作用・効果）
このような本実施形態によれば、上述した第１実施形態と同様な効果を奏する。さらに、本実施形態においてタグ本体１０ａは円柱状をなしているので、貫通孔１４又はスリット状の貫通孔１８内部の体積を大きくして、その空間内に入り込む土壌を増大させることができる。その結果、貫通孔１４又はスリット状の貫通孔１８内に入り込んだ土壌によってよりタグ本体１０ａを固定し、抜け難くすることができる。
【００４２】
［変形例］
なお、上述した各実施形態の説明は、本発明の一例である。このため、本発明は上述した各実施形態に限定されることなく、本発明に係る技術的思想を逸脱しない範囲であれば、設計等に応じて種々の変更が可能であることはもちろんである。図１５〜１７は、変形例に係るネームタグを示し、各図の（ａ）は正面図、（ｂ）は右側面図、（ｃ）は平面図、（ｄ）は底面図、（ｅ）は背面図である。なお、各ネームタグ２ａ〜２ｃに係る左側面図は右側面図と対称につき省略する。そして、図１５〜１７においては、部分意匠として意匠登録を受けようとする部分を実線で、それ以外の部分を破線で表している。
【００４３】
具体的に、例えば、上述した第２実施形態では、一枚の板状から形成されたプレート１７をタグ本体１０に装着させたが、本発明は、これに限定するものではない。すなわち、図１５〜１７に示すように、実線で表した一部分が本発明の特別な特徴的部分（部分意匠とすれば、部分意匠として登録を受けようとする部分）であり、それ以外の破線で表した部分は、その他の形状であり、例えば、円形状、球状、星形など種々の形状を用いることができる。また、図示していないが、例えば、突出部位１３にも貫通孔を形成させ、その貫通孔にストラップ等を挿通させて、装飾としてのデザイン性を高めるようにしてもよい。
【００４４】
また、例えば、図１８〜図２０に示すように、上述した各実施形態及び変形例に示したネームタグの突出部位に留め具２０を着脱可能に設けてもよい。なお、図１８〜図２０では、ネームタグ１ａに留め具２０を装着させた場合を例に説明する。図１８は、本変形例に係るネームタグの使用状態を例示する斜視図であり、図１９及び図２０は、図１８に係るネームタグを示し、図１９（ａ）は正面図、図１９（ｂ）は右側面図、図１９（ｃ）は平面図、図１９（ｄ）は底面図であり、図２０（ａ）は背面図であり、図２０（ｂ）は左側面図である。
【００４５】
留め具２０は、突出部位１３に噛ませる、又は被せることでタグ本体１０と固着される本体部２１と、本体部２１から外方に突出し、先端部分が渦巻状に形成された一対の係合部２２ａ、２２ｂとから形成されている。
【００４６】
本実施形態において、本体部２１は、紙、木、あるいはプラスチック等の樹脂、陶器、腐食し難い金属や、防水加工された金属部材から形成され、一対の係合部２２ａ、２２ｂは、例えば、プラスチック等の樹脂、針金など一定の弾性を有する部材から形成されている。
【００４７】
この留め具２０を使用する場合には、園芸植物の枝などの対象物に対して係合部２２ａ，２２ｂを巻き付けた後、係合部２２ａ，２２ｂを交差させて、相互に引っ掛けて係合させる。なお、一方の係合部２２ａ，２２ｂのみ使用して対象物に引っ掛けて係合させることもできる。
【００４８】
このような変形例によれば、ネームタグ１ａに留め具２０が装着されているので、ネームタグ１を園芸植物等の枝等に簡易に係合させることができる。なお、本実施形態において、図１８〜図２０は、ネームタグ１ａに装着させている場合を例に説明したが、上述した他の実施形態及び変形例に係るネームタグ１ｂ及び１ｃ、２ａ〜２ｃ、及び３ａ〜３ｃに装着可能であることはもちろんである。
【００４９】
さらに、例えば、上述したタグ本体の形状は、板状及び杭形状に限定されるものではなく、内部を貫通する貫通孔を有すればよく、種々の形状を用いることができる。また、貫通孔についても、その最大径が土壌の平均粒６の径よりも大きい形状であれば、上述した円状、スリット状に限定されるものでなく、種々の形状とすることができる。さらに、タグ本体１０の側部に形成される凹凸の形状についても、上述した本実施形態に限定されるものではなく、例えば、三角形状や四角形状など種々の形状に形成させてもよく、タグ本体１０の側面に形成される凹部１５ａ及び凸部１５ｂの数についても、タグ本体１０の大きさに応じて変更可能である。また、側部に形成される凹部と凹部との間隔は、長くしたり、短くしたり変更可能である。
【符号の説明】
【００５０】
１ａ〜１ｃ…ネームタグ
２ａ〜２ｃ…ネームタグ
３ａ〜３ｃ…ネームタグ
５…土壌
６…土壌の粒
１０，１０ａ…タグ本体
１１，１１ａ…先端部分
１２，１２ａ…差込部位
１３，１３ａ…突出部位
１４…貫通孔
１５…凹凸
１５ａ…凹部
１５ｂ…凸部
１７…プレート
１８…貫通孔
２０…留め具
２１…本体
２２ａ，２２ｂ…係合部
【図１】
2015052636.tif 000003
【図２】
2015052636.tif 000004
【図３】
2015052636.tif 000005
【図４】
2015052636.tif 000006
【図５】
2015052636.tif 000007
【図６】
2015052636.tif 000008
【図７】
2015052636.tif 000009
【図８】
2015052636.tif 000010
【図９】
2015052636.tif 000011
【図１０】
2015052636.tif 000012
【図１１】
2015052636.tif 000013
【図１２】
2015052636.tif 000014
【図１３】
2015052636.tif 000015
【図１４】
2015052636.tif 000016
【図１５】
2015052636.tif 000017
【図１６】
2015052636.tif 000018
【図１７】
2015052636.tif 000019
【図１８】
2015052636.tif 000020
【図１９】
2015052636.tif 000021
【図２０】
2015052636.tif 000022